(57)【要約】【課題】  配線ダクトの取り付けの安全性及び作業性を向上させることができる配線ダクトユニットを提供することである。【解決手段】  天井の引掛シーリング１９のコネクタ部に装着される引掛シーリングキャップ２５のコネクタ部と電気的に接続される導体部を有し電気負荷に電力を供給する配線ダクト１８に取付サポート２４を一体的に取り付ける。取付サポート２４は、天井の取付具２０への取り付け位置を調整するための調整穴２７を有し、取付具２０に螺合する取付ネジ２３の頭部に調整穴２７の縁部を摺動させて位置調整する。そして、位置調整後に取付ネジ２３で取付サポート２４を取付具２０に取り付ける。【選択図】  図１
2005317393.tif 000002
【特許請求の範囲】
【請求項１】
天井の引掛シーリングと電気的に接続される導体部を有し電気負荷に電力を供給するための配線ダクトと；
前記配線ダクトに一体的に取り付けられ天井の取付具への取り付け位置を調整するための調整穴を有し前記取付具に螺合する取付ネジの頭部に前記調整穴の縁部を摺動させて位置調整し前記取付ネジで前記取付具に取り付けられる取付サポートと；
を備えたことを特徴とする配線ダクトユニット。
【請求項２】
天井の取付具への取り付け位置を調整するための調整穴を有し前記取付具に螺合する取付ネジの頭部に前記調整穴の縁部を摺動させて位置調整し前記取付ネジで前記取付具に取り付けられる天井アダプタと；
引掛シーリングと電気的に接続される導体部を有し電気負荷に電力を供給するための配線ダクトと；
前記配線ダクトに一体的に取り付けられ前記天井アダプタへの取り付け位置を調整するための調整穴を有し前記天井アダプタに螺合する取付ネジの頭部に前記調整穴の縁部を摺動させて位置調整し前記取付ネジで前記天井アダプタに取り付けられる取付サポートと；
を備えたことを特徴とする配線ダクトユニット。
【請求項３】
前記天井アダプタの調整穴または前記取付サポートの調整穴は、引掛シーリングを中心にしてほぼ１８０°の方向に、前記天井アダプタまたは前記取付サポートの位置調整が可能であることを特徴とする請求項１または２記載の配線ダクトユニット。
【請求項４】
取付サポートは、外部から取付サポートが直視されないようにカバーによって覆われており、このカバーは一対のカバー体が配線ダクトないし取付サポートに係合することで形成されることを特徴とする請求項１または２記載の配線ダクトユニット。
【請求項５】
天井に設けられた荷重支え部を有する引掛シーリングと；
前記引掛シーリングの荷重支え部に装着される取付機構部と；
前記取付機構部に取り付けられ前記引掛シーリングのコネクタ部に装着される引掛シーリングキャップのコネクタ部と電気的に接続される導体部を有し電気負荷に電力を供給するための配線ダクトと；
を備えたことを特徴とする配線ダクトユニット。
【発明の詳細な説明】
【技術分野】
【０００１】
本発明は、例えば電気負荷である照明器具に電力を供給する配線ダクトの取り付けを行う配線ダクトユニットに関する。
【背景技術】
【０００２】
例えば、天井面に照明器具を取り付ける際には、天井面に設けられた引掛シーリングのコネクタ部に照明器具の引掛シーリングキャップのコネクタ部を装着して取り付けられる。また、天井面に照明器具を取り付けるための取付板を設け、この取付板に照明器具を取り付けるようにしている。
【０００３】
この場合、取付板に照明器具を容易に装着できるように、天井に固着した取付板の外周に沿う少なくとも１個以上の立上り突起を設け、この立上り突起に係合する凹陥部を照明器具に連結した取付金具の周縁に設けたものがある（例えば、特許文献１参照）。
【０００４】
図７は、そのような照明器具の取り付けの説明図である。天井面に固着された取付板１１には、下方に向けて長ネジ１２が取り付けられており、この長ネジ１２を照明器具に連結した取付金具１３の貫通穴１４に貫通して飾りナット１５で締め付けて取り付けられる。その際に、長ネジ１２が容易に貫通穴１４を貫通するように、取付板１１に立上り突起部１６が設けられ、この立上り突起部１６が取付金具１３の凹陥部１７に係合するように位置決めされたときに、長ネジ１２が貫通穴１４を貫通するようになっている。
【０００５】
また、天井面に配線ダクトを取り付け、その配線ダクトに電気的に照明器具を接続するとともに機械的に照明器具を吊り下げて、照明器具の接続角度を自在に変更するできるようにしたものがある（例えば、特許文献２参照）。
【０００６】
図８は、配線ダクト１８の天井面への取り付けの説明図である。天井面に取り付けられた本体取付金具１９には、下方に向けて長ネジ１２が取り付けられており、配線ダクト１８に固定された取付サポート２０の貫通穴に長ネジ１２を貫通して、飾りナット１５で締め付けて取り付けられる。そして、配線ダクト１８に電気的に照明器具を接続するとともに機械的に照明器具を吊り下げて照明器具が装着される。
【特許文献１】特開平５−３２５６１９号公報（図１）
【特許文献２】特開平１０−１７２３３３号公報（図１）
【発明の開示】
【発明が解決しようとする課題】
【０００７】
ところが、特許文献１、２のいずれのものであっても、天井面近くで取付金具１３や取付サポート２０を手で支えて取り付け作業を行わなければなければならない。すなわち、取付金具１３や取付サポート２０を片手で支えながら、もう一方の片手で飾りナット１５の締め付けを行うことになるので、作業に危険を伴うとともに作業性が悪い。
【０００８】
本発明の目的は、配線ダクトの取り付けの安全性及び作業性を向上させることができる配線ダクトユニットを提供することである。
【課題を解決するための手段】
【０００９】
請求項１の発明に係わる配線ダクトユニットは、天井の引掛シーリングと電気的に接続される導体部を有し電気負荷に電力を供給するための配線ダクトと；前記配線ダクトに一体的に取り付けられ天井の取付具への取り付け位置を調整するための調整穴を有し前記取付具に螺合する取付ネジの頭部に前記調整穴の縁部を摺動させて位置調整し前記取付ネジで前記取付具に取り付けられる取付サポートと；を備えたことを特徴とする
本発明および以下の発明において、特に指定しない限り用語の定義および技術的意味は以下による。引掛シーリングは天井面の屋内配線が接続されたコネクタ部を内蔵し、電気負荷に電力を供給する引掛シーリングキャップのコネクタ部と電気的及び機械的に接続される。引掛シーリングには、角形引掛シーリング、丸形引掛シーリング、埋込引掛シーリング等が含まれる。
【００１０】
取付具は引掛シーリングの周囲または近傍の天井面に固定して設けられ、取付サポートを固定するためのネジ穴部を有する。取付具は引掛シーリングと別個に設けてもよいし、引掛シーリングと一体的に設けてもよい。
【００１１】
取付サポートは配線ダクトの取付部材の一つであり、配線ダクトに一体的に取り付けられて取付具に取付ネジで取り付けられる。取付サポートは取付具への取り付け位置を調整するための調整穴を有する。取付サポートの取付具への取り付けの際には、取付具のネジ穴部に取付ネジを螺合して仮止めし、取付ネジの頭部を調整穴に挿入して引掛シーリングを中心にして取付サポートを回動させる。すなわち、調整穴の縁部を取付ネジの頭部に摺動させて位置調整する。その際、取付ネジの頭部と調整穴の縁部とが係合し取付サポートの下方への落下を阻止する。位置調整の後に取付ネジを本締結して取付サポートを取付具に取り付ける。
【００１２】
配線ダクトは、引掛シーリングのコネクタ部に装着される引掛シーリングキャップのコネクタ部と電気的に接続される導体部を有し、例えば電気負荷である照明器具に電力を供給する。
【００１３】
本発明によれば、取付ネジの頭部を取付サポートの調整穴に挿入して引掛シーリングを中心にして取付サポートを回動させて、調整穴の縁部を取付ネジの頭部に摺動させて位置調整し、取付ネジの頭部と調整穴の縁部とが係合し取付サポートの下方への落下を阻止するので、取付作業の際に片手で取付サポートを支える必要がなくなり、安全性及び作業性が向上する。すなわち、天井面近くでの高所作業をする場合に両手がフリーになり作業性及び安全性が向上する。
【００１４】
請求項２の発明に係わる配線ダクトユニットは、天井の取付具への取り付け位置を調整するための調整穴を有し前記取付具に螺合する取付ネジの頭部に前記調整穴の縁部を摺動させて位置調整し前記取付ネジで前記取付具に取り付けられる天井アダプタと；引掛シーリングと電気的に接続される導体部を有し電気負荷に電力を供給するための配線ダクトと；前記配線ダクトに一体的に取り付けられ前記天井アダプタへの取り付け位置を調整するための調整穴を有し前記天井アダプタに螺合する取付ネジの頭部に前記調整穴の縁部を摺動させて位置調整し前記取付ネジで前記天井アダプタに取り付けられる取付サポートと；を備えたことを特徴とする。
【００１５】
天井アダプタは配線ダクトの取付部材の一つであり、取付具に取付ネジで取り付けられる。そして、天井アダプタには配線ダクトに一体的に取り付けられた取付サポートが取り付けられる。天井アダプタは取付具への取り付け位置を調整するための調整穴を有する。天井アダプタの取付具への取り付けの際には、取付具のネジ穴部に取付ネジを螺合して仮止めし、取付ネジの頭部を調整穴に挿入して引掛シーリングを中心にして天井アダプタを回動させる。すなわち、調整穴の縁部を取付ネジの頭部に摺動させて位置調整する。その際、取付ネジの頭部と調整穴の縁部とが係合し天井アダプタの下方への落下を阻止する。位置調整の後に取付ネジを本締結して天井アダプタを取付具に取り付ける。
【００１６】
取付サポートは配線ダクトの取付部材の一つであり、配線ダクトに一体的に取り付けられて天井アダプタに取付ネジで取り付けられる。取付サポートは天井アダプタへの取り付け位置を調整するための調整穴を有する。取付サポートの天井アダプタへの取り付けの際には、天井アダプタのネジ穴部に取付ネジを螺合して仮止めし、取付ネジの頭部を調整穴に挿入して引掛シーリングを中心にして取付サポートを回動させる。すなわち、調整穴の縁部を取付ネジの頭部に摺動させて位置調整する。その際、取付ネジの頭部と調整穴の縁部とが係合し取付サポートの下方への落下を阻止する。位置調整の後に取付ネジを本締結して取付サポートを天井アダプタに取り付ける。
【００１７】
本発明によれば、取付ネジの頭部を天井アダプタや取付サポートの調整穴に挿入して引掛シーリングを中心にして取付サポートを回動させて、調整穴の縁部を取付ネジの頭部に摺動させて位置調整し、取付ネジの頭部と調整穴の縁部とが係合し天井アダプタや取付サポートの下方への落下を阻止するので、取付作業の際に片手で天井アダプタや取付サポートを支える必要がなくなり、安全性及び作業性が向上する。すなわち、天井面近くでの高所作業をする場合に両手がフリーになり作業性及び安全性が向上する。
【００１８】
請求項３の発明に係わる配線ダクトユニットは、請求項１または２の発明において、前記天井アダプタの調整穴または前記取付サポートの調整穴は、引掛シーリングを中心にしてほぼ１８０°の方向に、前記天井アダプタまたは前記取付サポートの位置調整が可能であることを特徴とする。
【００１９】
調整穴は、取付ネジの頭部を挿入し引掛シーリングを中心にして、天井アダプタまたは取付サポートを回動させたとき、天井アダプタまたは取付サポートが約１８０°回動する長さに形成される。これにより、天井アダプタまたは取付サポートの位置調整は約１８０°の方向に調整可能となる。従って、天井アダプタで約１８０°調整可能となり、取付サポートで１８０°調整可能となることから、取付サポートを有した配線ダクトの方向は１８０°の範囲で調整可能となり、さらに天井アダプタを設けた場合には配線ダクトの方向は３６０°の全周に亘って調整可能となる。
【００２０】
本発明によれば、請求項１または２の発明の効果に加え、配電ダクトの方向を１８０°の範囲に亘って調整可能であり、天井アダプタを設けた場合には３６０°の全周に亘って調整可能であるので、配線ダクトの取付位置の調整が容易に行え何度も位置決めをしなくてすむ。
【００２１】
請求項４の発明に係わる配線ダクトユニットは、請求項１または２の発明において、取付サポートは、外部から取付サポートが直視されないようにカバーによって覆われており、このカバーは一対のカバー体が配線ダクトないし取付サポートに係合することで形成されることを特徴とする。
【００２２】
カバーは一対のカバー体に係合部を有して形成され、係合部が配線ダクトないし取付サポートに係合して取付サポートが直視されないように取付サポートを覆う。カバー体は、例えば樹脂製で形成され、係合部は取付サポートの取付部が設けられている箇所を用いて設けられる。
【００２３】
本発明によれば、取付サポートはカバーによって覆われるので意匠性を向上できる。また、カバー体は樹脂製で形成するので軽量となり、形状等を適宜転向することが可能であるのでデザインに自由度が広がる。さらに、カバーはカバー本体を係合部で配線ダクトまたは取付サポートに係止するだけであるので作業性がよい。
【００２４】
請求項５の発明に係わる配線ダクトユニットは、天井に設けられた荷重支え部を有する引掛シーリングと；前記引掛シーリングの荷重支え部に装着される取付機構部と；前記取付機構部に取り付けられ前記引掛シーリングのコネクタ部に装着される引掛シーリングキャップのコネクタ部と電気的に接続される導体部を有し電気負荷に電力を供給するための配線ダクトと；を備えたことを特徴とする。
【００２５】
荷重支え部を有する引掛シーリングは、天井面の屋内配線が接続されたコネクタ部を内蔵し、電気負荷に電力を供給する引掛シーリングキャップのコネクタ部と電気的及び機械的に接続されることに加え、外周部に荷重支え部を有する。荷重支え部には取付機構部が装着される。
【００２６】
取付機構部は、引掛シーリングの中心部に向かうバネ力を有するバネ機構の係止部材を備える。すなわち、引掛シーリングの外側から内側に向けたバネ力で引掛シーリングの荷重支え部の上部に係合し、下方には荷重支え部で荷重を支えるように装着される。従って、取付機構部は、引掛シーリングの荷重支え部への装着後は全周方向に亘って回動可能である。配線ダクトには、この取付機構部が取り付けられる。
【００２７】
本発明によれば、取付機構部により引掛シーリングの荷重支え部に装着されるので、取付作業の際に片手で配線ダクトを支える必要がなくなり、安全性及び作業性が向上する。また、配線ダクトの方向は３６０°の全周に亘って調整可能となる。
【発明の効果】
【００２８】
請求項１の発明によれば、取付ネジの頭部を取付サポートの調整穴に挿入して引掛シーリングを中心にして取付サポートを回動させて、調整穴の縁部を取付ネジの頭部に摺動させて位置調整し、取付ネジの頭部と調整穴の縁部とが係合し取付サポートの下方への落下を阻止するので、取付作業の際に片手で取付サポートを支える必要がなくなり、安全性及び作業性が向上する。すなわち、天井面近くでの高所作業をする場合に両手がフリーになり作業性及び安全性が向上する。
【００２９】
請求項２の発明によれば、取付ネジの頭部を天井アダプタや取付サポートの調整穴に挿入して引掛シーリングを中心にして取付サポートを回動させて、調整穴の縁部を取付ネジの頭部に摺動させて位置調整し、取付ネジの頭部と調整穴の縁部とが係合し天井アダプタや取付サポートの下方への落下を阻止するので、取付作業の際に片手で天井アダプタや取付サポートを支える必要がなくなり、安全性及び作業性が向上する。すなわち、天井面近くでの高所作業をする場合に両手がフリーになり作業性及び安全性が向上する。
【００３０】
請求項３の発明によれば、請求項１または２の発明の効果に加え、配電ダクトの方向を１８０°の範囲に亘って調整可能であり、天井アダプタを設けた場合には３６０°の全周に亘って調整可能であるので、配線ダクトの取付位置の調整が容易に行え何度も位置決めをしなくてすむ。
【００３１】
請求項４の発明によれば、取付サポートはカバーによって覆われるので意匠性を向上できる。また、カバー体は樹脂製で形成するので軽量となり、形状等を適宜転向することが可能であるのでデザインに自由度が広がる。さらに、カバーはカバー本体を係合部で配線ダクトまたは取付サポートに係止するだけであるので作業性がよい。
【００３２】
請求項５の発明によれば、取付機構部により引掛シーリングの荷重支え部に装着されるので、取付作業の際に片手で配線ダクトを支える必要がなくなり、安全性及び作業性が向上する。また、配線ダクトの方向は３６０°の全周に亘って調整可能となる。
【発明を実施するための最良の形態】
【００３３】
（第１の実施の形態）
図１は本発明の第１の実施の形態に係わる配線ダクトユニットの組み立て過程の斜視図である。天井面には引掛シーリング１９が設けられ、引掛シーリング１９の周囲には取付具２０が取り付けられている。引掛シーリング１９は天井面の屋内配線が接続されたコネクタ部を内蔵し、電気負荷に電力を供給する引掛シーリングキャップのコネクタ部と電気的及び機械的に接続される。図１では、引掛シーリング１９として角形引掛シーリングを示している。また、以下の説明では電気負荷として照明器具である場合について説明する。
【００３４】
取付具２０は引掛シーリング１９の周囲の天井面に止めネジ２１でネジ止めされて固定される。取付具２０は器具を取り付けるためのネジ穴部２２を有し、このネジ穴部２２のネジ穴に取付ネジ２３が取り付けられる。図１では取付具２０は引掛シーリング１９と別個に設けた場合を示しているが、引掛シーリング１９と一体的に設けてもよい。
【００３５】
配線ダクト１８には、取付具２０に取り付けられる取付サポート２４が一体的に取り付けられており、この取付サポート２４をネジ２３で取付具２０に取り付けることにより、配線ダクト１８を天井面の近傍に据付配置することになる。配線ダクト１８は、天井の引掛シーリング１９のコネクタ部に装着される引掛シーリングキャップ２５のコネクタ部と電気的に接続される導体部を有し、電気負荷に電力を供給するものである。配線ダクトにはアジャスター２６が設けられており、取付サポート２４を取付具２０に取り付けたときに、アジャスター２６を調節してアジャスター２６を介して天井面に配線ダクト１８を固定する。
【００３６】
配線ダクト１８に一体的に取り付けられた取付サポート２４は、天井の取付具２０への取り付け位置を調整するための調整穴２７を有し、この調整穴２７は配線ダクト１８を挟んでそれぞれ設けられている。そして、この調整穴２７に取付具２０のネジ穴部２２に螺合する取付ネジ２３の頭部が挿入される。図１では調整穴２７はダルマ穴である場合を示している。すなわち、取付ネジ２３を取付具２０のネジ穴部２２に螺合して仮止めし、取付ネジ２３の頭部を調整穴２７のダルマ穴の大径部に挿入して、取付ネジ２３の頭部を調整穴２７の縁部を摺動させて位置調整する。この際には取付ネジ２３の頭部を調整穴２７の縁部で保持することになるので、作業員が手を離しても配線ダクトが下方に落下することはない。そして、位置調整の後に取付ネジ２３を本締結して取付サポート２４を取付具２０に取り付ける。
【００３７】
取付サポート２４の調整穴２７は、取付ネジ２３の頭部を挿入し引掛シーリング１９を中心にして、取付サポート２４を回動させたとき、取付サポート２４が約１８０°回動する長さに形成される。これにより、取付サポート２４の位置調整は約１８０°の方向に調整可能となる。従って、取付サポートを有した配線ダクトの方向は１８０°の範囲で調整可能となる。
【００３８】
このように、位置調整した後に取付ネジ２３を取付部２０のネジ穴部２２のネジ穴に本締めして配線ダクト１８を取付サポート２４を介して天井面に取り付ける。そして、アジャスター２６を調節してアジャスター２６を介して天井面に配線ダクト１８を固定する。その後に、図２（ａ）に示すように、取付サポート２４にカバー２８Ａを装着して、図２（ｂ）に示すようにカバー１８が取付サポート２４を覆うように形成される。
【００３９】
すなわち、カバー体２８Ａは配線ダクト１８を挟んで一対のカバー体２８Ａが用意され、一対のカバー体２８Ａが配線ダクト１８ないし取付サポート２４に係合することでカバー２８が形成される。
【００４０】
第１の実施の形態によれば、取付ネジ２３の頭部を取付サポート２４の調整穴２７に挿入して引掛シーリング１９を中心にして取付サポート２４を回動させて、調整穴２７の縁部を取付ネジ２３の頭部に摺動させて位置調整するので、配電ダクトの方向を１８０°の範囲に亘って調整可能である。
【００４１】
また、取付ネジ２３の頭部と調整穴２７の縁部とが係合し取付サポート２４の下方への落下を阻止するので、取付作業の際に片手で取付サポート２４を支える必要がなくなり、安全性及び作業性が向上する。すなわち、天井面近くでの高所作業をする場合に両手がフリーになり作業性及び安全性が向上する。また、カバーはカバー本体を係合部で配線ダクトまたは取付サポートに係止するだけであるので作業性がよい。
【００４２】
（第２の実施の形態）
図３は本発明の第２の実施の形態に係わる配線ダクトユニットの組み立て過程の斜視図である。この第２の実施の形態は、図１に示した第１の実施の形態に対し、天井アダプタ２９を追加して設け、取付具２０に天井アダプタ２９を位置調整して取り付け、その天井アダプタ２９に取付サポート２４を位置調整して取り付けるようにしたものである。図１と同一要素には同一符号を付し重複する説明は省略する。
【００４３】
天井アダプタ２９は取付具２０への取り付け位置を調整するための調整穴３０を有する。図３では調整穴３０としてダルマ穴である場合を示している。天井アダプタ２９の取付具２０への取り付けの際には、取付具２０のネジ穴部２２に取付ネジ２３を螺合して仮止めし、取付ネジ２３の頭部を調整穴３０の大径部に挿入して引掛シーリング１９を中心にして天井アダプタ２９を回動させる。すなわち、調整穴３０の縁部を取付ネジ２３の頭部に摺動させて位置調整する。その際、取付ネジ２３の頭部と調整穴２３の縁部とが係合し天井アダプタ２９の下方への落下を阻止する。位置調整の後に取付ネジ２３を本締結して天井アダプタ２９を取付具２０に取り付ける。
【００４４】
配線ダクト１８に一体的に取り付けられた取付サポート２４は天井アダプタ２９への取り付け位置を調整するための調整穴２７を有する。この調整穴２７は図３ではダルマ穴に形成されている。
【００４５】
取付サポート２４の天井アダプタ２９への取り付けの際には、天井アダプタ２９のネジ穴部３２に取付ネジ３１を螺合して仮止めし、取付ネジ３１の頭部を調整穴３０に挿入して引掛シーリング１９を中心にして取付サポート２４を回動させる。すなわち、調整穴３０の縁部を取付ネジ３１の頭部に摺動させて位置調整する。その際、取付ネジ３１の頭部と調整穴３０の縁部とが係合し取付サポート２４の下方への落下を阻止する。位置調整の後に取付ネジ３１を本締結して取付サポートを天井アダプタに取り付ける。
【００４６】
ここで、天井アダプタ２９の調整穴３０及び取付サポート２４の調整穴２７は、取付ネジ２３、３１の頭部を挿入し引掛シーリング１９を中心にして、天井アダプタ２９または取付サポート２４を回動させたとき、天井アダプタ２９または取付サポート２４が約１８０°回動する長さに形成される。これにより、天井アダプタ２９または取付サポート２４の位置調整は約１８０°の方向に調整可能となる。従って、天井アダプタ２９で約１８０°調整可能となり、取付サポート２４で１８０°調整可能となることから、天井アダプタ２９を設けた場合には配線ダクト１８の方向は３６０°の全周に亘って調整可能となる。
【００４７】
図４は、引掛シーリング１９として取付具２０が一体となった埋込引掛シーリング１９Ａへの天井アダプタ２９の取り付けの説明図である。この場合には、埋込引掛シーリングのネジ穴部２２に取付ネジ２３を仮止めして天井アダプタ２９の調整穴３０に取付ネジ２３の頭部を挿入して取付位置の調整を行うことになる。
【００４８】
以上の説明では、取付金具２０と天井アダプタ２９とを別々に設けたが、一体的に設けるようにしてもよい。この場合には、部品点数を削減できる。
【００４９】
第２の実施の形態によれば、第１の実施の形態の効果に加え、天井アダプタ２９を設けたので配電ダクト１８の方向を３６０°の全周に亘って調整可能である。従って、配線ダクト１８の取付位置の調整が容易に行え何度も位置決めをしなくてすむ。
【００５０】
（第３の実施の形態）
図５は本発明の第３の実施の形態に係わる配線ダクトユニットの引掛シーリング１９Ｂに取付機構部３３を取り付ける場合の説明図、図６は取付機構部３３を一体的に取り付けた配線ダクト１８の斜視図である。
【００５１】
引掛シーリング１９Ｂは、天井面の屋内配線が接続されたコネクタ部を内蔵し、電気負荷に電力を供給する引掛シーリングキャップ２５のコネクタ部と電気的及び機械的に接続される。また、引掛シーリング１９Ｂは外周部に荷重支え部３４を有し、この荷重支え部３４には取付機構部３３が装着される。
【００５２】
取付機構部３３は、引掛シーリング３４の中心部に向かうバネ力を有するバネ機構の係止部材３５を備え、引掛シーリング３４の過重支え部３４への装着の際には操作部３６を操作して係止部材３５を取付機構部３３の本体内に収納し、過重支え部３４に装着後に操作部３６の操作を解除して係止部材３５を突出させる。
【００５３】
すなわち、外側から内側に向けたバネ力で係止部３５は、引掛シーリング１９Ｂの荷重支え部３４の上部の周囲に係合し、下方には荷重支え部３４で荷重を支えるように装着される。従って、取付機構部３３は、引掛シーリング１９Ｂの荷重支え部３４への装着後は全周方向に亘って回動可能である。配線ダクト１８には、この取付機構部３３が取り付けられる。
【００５４】
第３の実施の形態によれば、取付機構部３３により引掛シーリング１９Ｂの荷重支え部３４に装着されるので、取付作業の際に片手で配線ダクト１８を支える必要がなくなり、安全性及び作業性が向上する。また、配線ダクト１８の方向は３６０°の全周に亘って調整可能となる。
【図面の簡単な説明】
【００５５】
【図１】本発明の第１の実施の形態に係わる配線ダクトユニットの組み立て過程の斜視図。
【図２】本発明の第１の実施の形態に係わる配線ダクトユニットの組み立て完了の状態の斜視図。
【図３】本発明の第２の実施の形態に係わる配線ダクトユニットの組み立て過程の斜視図。
【図４】本発明の第２の実施の形態における引掛シーリングとして取付具が一体となった埋込引掛シーリングへの天井アダプタの取り付けの説明図。
【図５】本発明の第３の実施の形態に係わる配線ダクトユニットの引掛シーリングに取付機構部を取り付ける場合の説明図。
【図６】本発明の第３の実施の形態における取付機構部を一体的に取り付けた配線ダクトの斜視図。
【図７】従来の照明器具の取り付けの説明図。
【図８】従来の配線ダクトの天井面への取り付けの説明図。
【符号の説明】
【００５６】
１１…取付板、１２…長ネジ、１３…取付金具、１４…貫通穴、１５…飾りナット、１６…立上り突起部、１７…凹陥部、１８…配線ダクト、１９…引掛シーリング、２０…取付具、２１…止めネジ、２２…ネジ穴部、２３…取付ネジ、２４…取付サポート、２５…引掛シーリングキャップ、２６…アジャスター、２７…調整穴、２８…カバー、２９…天井アダプタ、３０…調整穴、３１…取付ネジ、３２…ネジ穴部、３３…取付機構部、３４…引掛シーリング、３５…係止部材、３６…操作部
【図１】
2005317393.tif 000003
【図２】
2005317393.tif 000004
【図３】
2005317393.tif 000005
【図４】
2005317393.tif 000006
【図５】
2005317393.tif 000007
【図６】
2005317393.tif 000008
【図７】
2005317393.tif 000009
【図８】
2005317393.tif 000010